(57)【要約】【課題】本発明は、ダイエットを継続して実行するための意欲（モチベーション）を高める体重計の提供を目的とする。【解決手段】被測定者の体重を測定する体重計であって、当該被測定者の体重目標値及び目標達成日を設定する設定手段と、前記設定手段により設定された当該目標達成日に測定された体重測定値が前記体重目標値を越える場合、体重測定を停止させる停止手段と、を備えた体重計が提供される。【選択図】図１
2015197425.tif 000002
【特許請求の範囲】
【請求項１】
被測定者の体重を測定する体重計であって、
当該被測定者の体重目標値及び目標達成日を設定する設定手段と、
前記設定手段により設定された当該目標達成日に測定された体重測定値が前記体重目標値を越える場合、体重測定を停止させる停止手段と、
を備えたことを特徴とする体重計。
【請求項２】
被測定者の体重に応じた体重測定信号を出力する体重測定手段と、
前記体重測定手段により測定された体重測定信号に基づいて体重測定値を演算する演算手段と、
前記演算手段により演算された体重測定値を表示する表示手段と、
を有する体重計であって、
前記体重測定値の目標値を設定する目標値設定手段と、
前記体重測定値の目標値を達成させる達成日を設定する達成日設定手段と、
前記目標値及び前記達成日を記憶する記憶手段と、
前記記憶手段に記憶された前記達成日に前記目標値が測定されたか否かを判定する判定手段と、
前記判定手段により前記達成日に前記目標値以上の体重が測定された場合、前記体重測定手段による測定を停止させる停止手段と、
を備えたことを特徴とする体重計。
【請求項３】
請求項１または２に記載の体重計であって、
前記停止手段による停止モードを解除する停止解除手段を有することを特徴とする体重計。
【請求項４】
請求項３に記載の体重計であって、
前記停止解除手段は、予め決められた課金を支払うことで得られる停止解除コードが入力されることで停止モードを解除することを特徴とする体重計。
【請求項５】
請求項３または４に記載の体重管理システムであって、
前記停止解除手段は、当該体重計に対する停止解除コードが記憶された記憶媒体であることを特徴とする体重計。
【請求項６】
被測定者の体重を測定する体重計から得られる体重測定値を管理する体重管理システムであって、
当該被測定者の体重目標値及び目標達成日を設定する設定手段と、
前記体重計により測定された体重測定値を記憶するデータベースと、
前記設定手段により設定された当該目標達成日に測定された体重測定が前記体重目標値を越える場合、体重測定を停止させる停止手段と、
予め決められた課金を支払うことで停止解除コードを発行する停止解除コード発行手段と、
前記停止解除コード発行手段からの停止解除コードを前記体重計に送信して前記体重計の停止モードを解除する通信手段と、
を備えたことを特徴とする体重管理システム。
【請求項７】
請求項６に記載の体重管理システムであって、
前記停止解除コード発行手段は、予め決められた課金が支払われたことを条件として当該体重計に対する停止解除コードを発行することを特徴とする体重管理システム。
【請求項８】
請求項６又は７に記載の体重管理システムであって、
前記データベース及び前記停止解除コード発行手段は、前記体重計を管理するサーバに設けられ、
前記体重計は、前記サーバと送受信を行う通信手段を有し、前記サーバから前記通信手段を介して前記停止解除コードが入力されると、停止モードが解除されることを特徴とする体重管理システム。
【発明の詳細な説明】
【技術分野】
【０００１】
本発明は体重計及び体重管理システムに関する。
【背景技術】
【０００２】
従来の体重計を用いたダイエット装置としては、例えば、体重計と、データ管理装置と、グラフ作成装置と、目標設定装置と、表示装置とを備えた体重管理システムがある（例えば、特許文献１参照）。この体重管理システムでは、体重計に装備した送信機により、計測した体重データを自動送信し、当該体重データをグラフ表示することで、体重データの日々の変化を確認できるようにしている。
【０００３】
一方、体重計により体重の変化を測定してダイエットによる効果を確認する場合、毎日のダイエットの実践と体重測定を継続することが重要となる。また、予め設定された減量目標（ダイエット目標）を達成するまでダイエットを所定期間の間続けることになるが、減量目標が達成されるまでのダイエット期間（例えば、３〜６ヶ月後）を設定した場合、所定の期間が経過した後も減量目標が達成されない場合がある。
【先行技術文献】
【特許文献】
【０００４】
【特許文献１】特開２００５−３５１８３０号公報
【発明の概要】
【発明が解決しようとする課題】
【０００５】
しかしながら、所定の期間内に減量目標を達成するには、本人のたゆまない努力が必要であるが、何らかの理由により、ダイエットを中断することがあり、所定期間内に減量目標を達成できない場合がある。このように、従来の体重計を用いた体重管理システムでは、所定期間内に減量目標を達成できない場合でも、体重データをグラフで表示するものの、その後も体重計を使用することが可能である。
【０００６】
そのため、被測定者は、所定期間内に減量目標を達成できない場合、ダイエット期間を再設定して何回でもやり直しが行えることになり、意思の弱い人ほど、ダイエットを達成しようとする意識が徐々に低下して減量目標を達成できないまま時間が経過してしまうという問題があった。
【０００７】
そこで、本発明は上記事情に鑑み、上記課題を解決した体重計及び体重管理システムの提供を目的とする。
【課題を解決するための手段】
【０００８】
一つの案では、被測定者の体重を測定する体重計であって、
当該被測定者の体重目標値及び目標達成日を設定する設定手段と、
前記設定手段により設定された当該目標達成日に測定された体重測定値が前記体重目標値を越える場合、体重測定を停止させる停止手段と、
を備えたことを特徴とする体重計が提供される。
【発明の効果】
【０００９】
一態様によれば、予め設定された当該目標達成日に体重目標値以下の体重が測定出来ない場合、体重計による体重測定を停止させるため、意欲（モチベーション）を高めることができ、意思の弱い人でも体重計が停止させないようにダイエットを継続することで目標達成日までに減量することができるようになる。
【図面の簡単な説明】
【００１０】
【図１】本発明による体重計の実施形態１を示すブロック図である。
【図２】本発明による体重計の実施形態２を示すブロック図である。
【図３】本発明による体重管理システムの実施形態３を示すブロック図である。
【図４】実施形態３に係る体重計及び体重管理システムによる制御処理を説明するためのフローチャートである。
【発明を実施するための形態】
【００１１】
以下、図面を参照して本発明を実施するための形態について説明する。
【００１２】
〔実施形態１〕
図１は本発明による体重計の実施形態１を示すブロック図である。図１に示されるように、体重計１０は、体重測定手段２０と、設定手段３０と、記憶手段４０と、表示手段５０と、停止手段６０と、停止解除手段７０と、演算手段８０とを有する。
【００１３】
体重測定手段２０は、例えば、被測定者の体重に応じた体重測定信号を出力するロードセルなどからなる。尚、体重計１０では、被測定者の体重を測定する際、被測定者の重さを測定し、質量（ｋｇ）に変換して体重として表示する。
【００１４】
設定手段３０は、被測定者が体重測定を行う前に体重目標値及び目標達成日を設定するための設定スイッチ（入力操作部）などからなる。
【００１５】
記憶手段４０は、ＲＡＭ（Ｒａｎｄｏｍ  Ａｃｃｅｓｓ  Ｍｅｍｏｒｙ）またはメモリカード（記憶媒体）などからなり、体重測定手段２０により測定された体重（質量）及び測定日時を記憶するデータベースを形成している。
【００１６】
表示手段５０は、例えば、液晶パネル等からなる表示装置であり、体重測定手段２０により測定された体重測定値（質量）を表示すると共に、測定日時を表示する。また、停止手段６０により体重測定手段２０による体重測定が停止された場合、停止モードであることを被測定者に報知する報知手段としても機能する。
【００１７】
停止手段６０は、被測定者が目標達成日に体重測定を行ったとき、そのときの体重測定値が、設定手段３０により設定された体重目標値を越える場合、通常の測定モードを体重測定を行わない停止モード（被測定者が体重計１０に体重をかけても体重測定値が表示されない制御モード）に切替える停止信号を体重測定手段２０及び表示手段５０に出力する。
【００１８】
停止解除手段７０は、例えば、被験者が予め決められた課金を支払うことにより、停止モードを解除する停止解除コード（停止解除信号）を入力するための停止解除キー等からなる。課金の支払い方法としては、規定の店舗（コンビニ、あるいは体重計の販売店など）において現金またはクレジットカードなどにより支払う方法がある。また、被測定者は、課金の支払いによって停止解除キーを受取り、停止解除キーに記憶または登録された停止解除コードを体重計１０に入力する。尚、停止解除キーとしては、例えば、ＵＳＢメモリ、あるいはメモリカードなどの記憶媒体がある。あるいは、携帯電話機やスマートホンの決済機能を利用して課金の支払い、及び停止解除キーとしての停止解除コードを取得し、当該停止解除コードを体重計１０に近距離通信方式（例えば、ブルーツース：Ｂｌｕｅｔｏｏｔｈ（登録商標）など）により送信しても良い。
【００１９】
演算手段８０は、ＣＰＵ（Ｃｅｎｔｒａｌ  Ｐｒｏｃｅｓｓｉｎｇ  Ｕｎｉｔ）からなり、体重測定手段２０により測定された体重測定値及び体重測定日時と、設定手段３０により設定された体重目標値及び目標達成日とを比較する。この比較結果に基づいて、表示手段５０に体重測定値を出力し、あるいは停止手段６０に停止信号を出力する。そして、停止手段６０は、演算手段８０からの停止信号の入力により、測定モードを停止モードに切替える制御信号を体重測定手段２０及び表示手段５０に出力する。
【００２０】
また、演算手段８０は、被測定者が目標達成日に体重測定を行ったとき、そのときの体重測定値が、設定手段３０により設定された体重目標値を超える場合、ダイエット目標未達成であることを示すエラー信号（停止モード指示信号）を出力する。また、演算手段８０は、測定者が目標達成日に体重測定を行ったとき、そのときの体重測定値が、設定手段３０により設定された体重目標値以下の場合、ダイエット目標達成であることを示すイベント信号（目標達成のイベントを表示する信号）を出力する。
【００２１】
尚、体重計１０が測定モードから停止モードに切替えられた場合、被測定者は、当該体重計１０による体重測定が行えなくなるため、予め決められた課金を支払わないと、停止モードを解除することができない。被測定者がダイエット（減量）を継続して行う場合、単にダイエットしたいという願望だけでは、様々な誘惑（甘い食べ物などの精神的な負担や運動するときの肉体的負担等）に打ち勝って続けることは難しい。そのため、被測定者は、課金を支払いたくないという強い意志により、ダイエットを続けようとする意欲（モチベーション）を高めることができ、様々な誘惑に負けずにダイエットのための運動や食事制限などを休み無く行うことが可能になる。
【００２２】
また、停止解除キーを得るために支払う課金としては、任意の金額とすることもできるが、一定の金額（例えば、５千円）に決めても良いし、あるいは被測定者の金銭的な負担が大きいほど、課金を支払いたくないという意識がより強いものになり、ダイエットのための運動や食事制限を継続することが可能になる。
【００２３】
また、体重計１０は、リセットスイッチが設けられていないので、設定手段３０により設定された体重目標値及び目標達成日を達成日前に各設定値をリセットすることはできない。
【００２４】
〔実施形態２〕
図２は本発明による体重計の実施形態２を示すブロック図である。尚、図２において、前述した図１と共通部分には、同一符号を付してその説明を省略する。
【００２５】
図２に示されるように、体重計１０Ａは、設定手段３０の代わりに目標値設定手段３０Ａと、達成日設定手段３０Ｂとを有する。目標値設定手段３０Ａは、当該被験者が体重測定値の目標値を入力するためのスイッチ（入力操作部）などからなる。達成日設定手段３０Ｂは、当該被験者が目標体重を達成するまでの期間を規定する達成日を設定する設定スイッチ（入力操作部）からなる。
【００２６】
また、演算手段８０は、記憶手段４０に記憶された達成日に体重目標値が測定されたか否かを判定する判定手段８２を有する。判定手段８２は、体重測定手段２０により測定された体重測定値及び体重測定日時と、目標値設定手段３０Ａ及び達成日設定手段３０Ｂにより設定された体重目標値及び目標達成日とを比較し、この比較結果に基づいて、ダイエット達成かダイエット未達成かを判定する。そして、演算手段８０は、判定手段８２の判定結果に基づいて、表示手段５０及び停止手段６０に測定モード（測定体重を表示）又は停止モード（体重測定及び測定値の表示を停止）させる指令信号を出力する。
【００２７】
また、判定手段８２は、ダイエット達成かダイエット未達成かを判定することにより、測定モード又は停止モードの何れかが選択され、体重測定手段２０による体重測定の可否、及び表示手段５０による測定値の表示の可否が決まる。尚、判定手段８２によるダイエット達成かダイエット未達成かを判定する際の判定基準は、被測定者が目標達成日に体重測定を行ったとき、そのときの体重測定値が、設定手段３０により設定された体重目標値を超える場合、ダイエット目標未達成と判定し、そのときの体重測定値が、設定手段３０により設定された体重目標値以下の場合、ダイエット目標達成であると判定する。
【００２８】
また、実施形態１の体重計１０と同様に、体重計１０が測定モードから停止モードに切替えられた場合、被測定者は、当該体重計１０による体重測定が行えなくなるため、予め決められた課金を支払って停止解除キーを取得することで、停止解除キーに記憶された停止解除コードが入力されて停止モードを解除することができる。
【００２９】
また、停止解除キーを得るために支払う課金としては、一定の金額（例えば、５千円）に決めても良いし、あるいは任意の金額とすることもできるが、被測定者の金銭的な負担が大きいほど、ダイエットをやり遂げようとする意欲（モチベーション）を高めることができ、課金を支払いたくないという意志がより強いものになって、ダイエットのための運動や食事制限を継続することが可能になる。
【００３０】
また、体重計１０は、リセットスイッチが設けられていないので、設定手段３０により設定された体重目標値及び目標達成日を達成日前に各設定値をリセットすることはできない。
【００３１】
〔実施形態３〕
図３は本発明による体重管理システムの実施形態３を示すブロック図である。尚、図３において、前述した図１、図２と共通部分には、同一符号を付してその説明を省略する。
【００３２】
図３に示されるように、体重管理システム１００は、体重計１０Ｂと、サーバ１１０と、課金入力手段１６０とを有する。体重計１０Ｂは、前述した体重計１０に対し、停止解除手段７０が無く、体重測定手段２０と、設定手段３０と、記憶手段４０と、表示手段５０と、停止手段６０と、演算手段８０と、無線通信手段９０とを有する。また、体重計１０Ｂは、前述した体重計１０、１０Ａと同様に、演算手段８０において、体重測定手段２０により測定された体重測定値及び体重測定日時と、設定手段３０により設定された体重目標値及び目標達成日とを比較する。この比較結果に基づいて、表示手段５０に体重測定値を出力し、あるいは停止手段６０に停止信号を出力する。そして、停止手段６０は、演算手段８０からの停止信号の入力により、測定モードを停止モードに切替える制御信号（停止モード指示信号）を体重測定手段２０及び表示手段５０に出力する。
【００３３】
また、演算手段８０は、被測定者が目標達成日に体重測定を行ったとき、そのときの体重測定値が、設定手段３０により設定された体重目標値を超える場合、ダイエット目標未達成であることを示すエラー信号（停止モード指示信号）を出力する。また、演算手段８０は、測定者が目標達成日に体重測定を行ったとき、そのときの体重測定値が、設定手段３０により設定された体重目標値以下の場合、ダイエット目標達成であることを示すイベント信号（目標達成のイベントを表示する信号）を出力する。
【００３４】
無線通信手段９０は、無線信号を送受信可能な通信機からなり、例えば、インターネットなどの通信ネットワークを介してサーバ１１０とデータ通信を行える。
【００３５】
また、無線通信手段９０は、体重測定手段２０により被測定者の体重を測定すると、自動的に測定データ（体重測定値）をサーバ１１０に送信するようにプログラムされている。
【００３６】
サーバ１１０は、例えば、各体重計が使用される各家庭から離れたデータセンタなどに設置されており、ＣＰＵ１２０と、無線通信手段１３０と、データベース１４０と、停止解除コード発行手段（停止解除手段）１５０とを有する。サーバ１１０の無線通信手段１３０は、体重計１０Ｂの無線通信手段９０とデータの送受信を行っており、複数の体重計１０Ｂと双方向で通信を行える。尚、無線通信手段９０、１３０は、無線信号を送受信する構成でも良いし、あるいは有線を介して測定データ、停止解除コードを送受信する構成でも良い。
【００３７】
データベース１４０は、複数の体重計１０Ｂから送信された体重測定値及び設定値及び判定結果を記憶する。
【００３８】
また、サーバ１１０のＣＰＵ１２０においては、前述した体重計１０、１０Ａの演算手段８０による演算結果（判定結果）が無線通信手段１３０により入力されると、停止解除コード発行手段１５０からの停止解除コードが入力されたか否かを確認する。そして、演算手段８０による演算処理がダイエット未達成の場合、停止解除コード発行手段１５０から停止解除コードが入力されたか否かを確認し、停止解除コードが入力された場合には、無線通信手段１３０から当該体重計１０Ｂに停止解除コードが送信される。
【００３９】
課金入力手段１６０は、例えば、規定の店舗（コンビニ、あるいは体重計の販売店など）に設置されており、現金またはクレジットカードにより課金が支払われると、課金データをサーバ１１０に送信する。また、停止解除コード発行手段１５０は、課金入力手段１６０から課金の支払いによる課金データが入力された場合に、停止解除コードを当該体重計１０Ｂに送信する。これにより、体重計１０Ｂでは、停止手段６０による停止モードが解除されて測定モードに切り替わる。尚、課金入力手段１６０は、サーバ１１０と無線又は専用回線などにより通信可能に接続されている。
【００４０】
〔体重計の制御処理について〕
図４は実施形態３に係る体重計及び体重管理システムによる制御処理を説明するためのフローチャートである。図４に示されるように、演算手段８０は、Ｓ１１で設定手段３０又は目標値設定手段３０Ａ及び達成日設定手段３０Ｂにより体重目標値及び目標達成日が入力されたか否かをチェックする。Ｓ１１において、体重目標値及び目標達成日が入力された場合（ＹＥＳの場合）、Ｓ１２に進み、入力された体重目標値（減量目標値）を設定する。続いて、Ｓ１３では入力された達成日をダイエットが完了する期限日として設定する。
【００４１】
次のＳ１４では、設定された体重目標値及び目標達成日を記憶手段４０に登録する。また、上記Ｓ１１において、体重目標値及び目標達成日が入力されない場合（ＮＯの場合）には、上記Ｓ１２〜Ｓ１４の処理を省略してＳ１５の処理に至る。
【００４２】
また、Ｓ１５では、体重測定手段２０により被測定者の体重が測定され、体重測定値が出力されたか否かをチェックする。Ｓ１５において、体重測定値が出力された場合（ＹＥＳの場合）、Ｓ１６に進み、体重測定値を記憶手段４０に記憶させる。また、Ｓ１５において、体重測定値が出力されない場合（ＮＯの場合）、Ｓ１５で待機状態になる。
【００４３】
次のＳ１７では、本日が目標達成日か否かをチェックする。Ｓ１７において、本日が目標達成日でない場合（ＮＯの場合）、上記Ｓ１５の処理に戻る。しかし、Ｓ１７において、本日が目標達成日である場合（ＹＥＳの場合）、Ｓ１８に進み、体重測定値が設定された体重目標値以下か否かをチェックする。Ｓ１８において、体重測定値が設定された体重目標値以下の場合（ＹＥＳの場合）、ダイエット成功であるので、Ｓ１９に進み、目標達成のイベントを開始する。目標達成のイベントとしては、ファンファーレの音声と共に、「ダイエット成功おめでとう」といったメッセージを表示手段５０に表示する。その後、Ｓ２０に進み、各設定条件（体重目標値及び目標達成日）をリセットする。
【００４４】
また、上記Ｓ１８において、体重測定値が設定された体重目標値を越える場合（ＮＯの場合）、ダイエット失敗であるので、Ｓ２１に進み、体重計停止モードを設定する。これにより、当該体重計１０（１０Ａ、１０Ｂ）は、体重測定手段２０による体重測定又は体重測定値の表示が行われない停止モードになり、且つ表示手段５０による体重測定値の表示も行えない。尚、Ｓ１８においては、体重測定値が設定された体重目標値を越えることが予め設定された複数回あった場合に、Ｓ２１で体重計停止モードを設定することも可能である。
【００４５】
次のＳ２２では、停止解除コードが入力されたか否かをチェックする。Ｓ２２において、予め決められた課金が支払われない場合には、停止解除キーを取得できない、又はサーバ１１０から停止解除コードが送信されないので、停止モードが維持されたまま待機状態となる。また、Ｓ２２において、課金の支払いにより停止解除手段７０又はサーバ１１０の停止解除コード発行手段１５０からの停止解除コードが入力された場合（ＹＥＳの場合）、Ｓ２３に進み、当該体重計の停止モードを解除して通常の測定モードに切替える。その後、Ｓ２０に進み、各設定条件（体重目標値及び目標達成日）をリセットする。
【００４６】
これにより、当該体重計は体重測定可能な状態に復帰する。従って、本発明の体重計１０、１０Ａ及び体重管理システム１００では、予め設定された目標達成日まで体重測定値が目標値以下まで減量されない場合、課金の支払いが必要になるので、被測定者は、ダイエットのための運動や食事制限を継続して行うといった強い意欲（モチベーション）を維持することが可能になり、ダイエットを成功させることが可能になる。
【００４７】
尚、上記実施形態では、体重計による体重測定を停止させる停止手段としては、体重測定手段２０による体重測定を停止させても良いし、あるいは、演算手段８０における体重測定値を質量に変換させる演算を停止させても良いし、あるいは、体重測定値を表示させる表示手段５０の表示を停止させても良い。
【００４８】
また、上記実施形態において、体重計が停止モードになった場合、課金の支払いにより停止解除コードの入力が可能になるが、課金の支払い方法は、特定の方法に限定されず、例えば、現金、クレジットカード、あるいは指定された商品券、あるいはインターネット決済（送金）による支払いでも良い。
【符号の説明】
【００４９】
１０、１０Ａ、１０Ｂ  体重計
２０  体重測定手段
３０  設定手段
３０Ａ  目標値設定手段
３０Ｂ  達成日設定手段
４０  記憶手段
５０  表示手段
６０  停止手段
７０  停止解除手段
８０  演算手段
８２  判定手段
９０、１３０  無線通信手段
１００  体重管理システム
１１０  サーバ
１２０  ＣＰＵ
１３０  無線通信手段
１４０  データベース
１５０  停止解除コード発行手段
１６０  課金入力手段
【図１】
2015197425.tif 000003
【図２】
2015197425.tif 000004
【図３】
2015197425.tif 000005
【図４】
2015197425.tif 000006
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
被測定者の体重を測定する体重計であって、
当該被測定者の体重目標値及び目標達成日を設定する設定手段と、
前記設定手段により設定された当該目標達成日に測定された体重測定値が前記体重目標値を越える場合、体重測定を停止させる停止手段と、
を備えたことを特徴とする体重計。
【請求項２】
被測定者の体重に応じた体重測定信号を出力する体重測定手段と、
前記体重測定手段により測定された体重測定信号に基づいて体重測定値を演算する演算手段と、
前記演算手段により演算された体重測定値を表示する表示手段と、
を有する体重計であって、
前記体重測定値の目標値を設定する目標値設定手段と、
前記体重測定値の目標値を達成させる達成日を設定する達成日設定手段と、
前記目標値及び前記達成日を記憶する記憶手段と、
前記記憶手段に記憶された前記達成日に前記目標値が測定されたか否かを判定する判定手段と、
前記判定手段により前記達成日に前記目標値以上の体重が測定された場合、前記体重測定手段による測定を停止させる停止手段と、
を備えたことを特徴とする体重計。
【請求項３】
請求項１または２に記載の体重計であって、
前記停止手段による前記体重計の停止モードを解除する停止解除手段を有することを特徴とする体重計。
【請求項４】
請求項３に記載の体重計であって、
前記停止解除手段は、予め決められた課金を支払うことで得られる停止解除コードが入力されることで前記体重計の停止モードを解除することを特徴とする体重計。
【請求項５】
請求項３または４に記載の体重管理システムであって、
前記停止解除手段は、当該体重計に対する停止解除コードが記憶された記憶媒体であることを特徴とする体重計。
【請求項６】
被測定者の体重を測定する体重計から得られる体重測定値を管理する体重管理システムであって、
当該被測定者の体重目標値及び目標達成日を設定する設定手段と、
前記体重計により測定された体重測定値を記憶するデータベースと、
前記設定手段により設定された当該目標達成日に測定された体重測定が前記体重目標値を越える場合、体重測定を停止させる停止手段と、
予め決められた課金を支払うことで停止解除コードを発行する停止解除コード発行手段と、
前記停止解除コード発行手段からの停止解除コードを前記体重計に送信して前記体重計の停止モードを解除する通信手段と、
を備えたことを特徴とする体重管理システム。
【請求項７】
請求項６に記載の体重管理システムであって、
前記停止解除コード発行手段は、予め決められた課金が支払われたことを条件として当該体重計に対する停止解除コードを発行することを特徴とする体重管理システム。
【請求項８】
請求項６又は７に記載の体重管理システムであって、
前記データベース及び前記停止解除コード発行手段は、前記体重計を管理するサーバに設けられ、
前記体重計は、前記サーバと送受信を行う通信手段を有し、前記サーバから前記通信手段を介して前記停止解除コードが入力されると、停止モードが解除されることを特徴とする体重管理システム。